(57)【要約】【課題】未反応の燃料ガス（オフガス）を集める排気集約室を設けても、排気集約室内の燃料ガスの分散性を向上させて燃料ガスの燃焼性を向上させることができる。【解決手段】本発明の固体酸化物型燃料電池装置1は、内部に燃料ガス通路97aを備え且つ外表面に電極層98,101,103bを備えた上下方向に延びる複数の燃料電池セル16と、複数の燃料電池セルの各々の下端部を貫通固定すると共に複数の燃料電池セルの各々に燃料ガスを分散して供給する燃料ガス分散室76と、複数の燃料電池セルの各々の上端を内包すると共に複数の燃料電池セルの各々の上端から噴出される未反応の燃料ガスを集める排気集約室18と、を有し、排気集約室の天井面には、未反応の燃料ガスを燃焼室に排出して燃焼させる複数の噴出口18dがほぼ等間隔で形成され、複数の燃料電池セルの各々は、排気集約室内において、それらの燃料電池セル16の上端の高さHが不揃いとなるように配置されている。【選択図】図４
2015018752.tif 000002
【特許請求の範囲】
【請求項１】
固体酸化物型燃料電池装置であって、
内部に燃料ガス通路を備え且つ外表面に電極層を備えた上下方向に延びる複数の燃料電池セルと、
これらの複数の燃料電池セルの各々の下端部を貫通固定すると共に上記複数の燃料電池セルの各々に燃料ガスを分散して供給する燃料ガス分散室と、
上記複数の燃料電池セルの各々の上端を内包すると共に上記複数の燃料電池セルの各々の上端から噴出される未反応の燃料ガスを集める排気集約室と、を有し、
上記排気集約室の天井面には、未反応の燃料ガスを燃焼室に排出して燃焼させる複数の噴出口がほぼ等間隔で形成され、
上記複数の燃料電池セルの各々は、上記排気集約室内において、それらの燃料電池セルの上端の高さが不揃いとなるように配置されていることを特徴とする固体酸化物型燃料電池装置。
【請求項２】
上記複数の燃料電池セルの各々の長さが異なっている請求項１に記載の固体酸化物型燃料電池装置。
【請求項３】
上記複数の燃料電池セルの各々は、その下端部がその下端の高さを揃えて上記燃料ガス分散室にセラミック接着剤層により固定されている請求項２に記載の固体酸化物型燃料電池装置。
【請求項４】
上記複数の燃料電池セルの各々の下端部の外表面には、電極層とこの電極層を覆う電解質層が形成され、この電解質層が、上記セラミック接着剤層の所定の基準接着領域よりも上下方向にそれぞれより広くなる領域に設けられている請求項３に記載の固体酸化物型燃料電池装置。
【発明の詳細な説明】
【技術分野】
【０００１】
本発明は、固体酸化物型燃料電池装置に係わり、特に、燃料電池モジュールに収容された複数の燃料電池セルに燃料及び酸化剤ガスを供給して発電する固体酸化物型燃料電池装置に関する。
【背景技術】
【０００２】
固体酸化物型燃料電池（Solid Oxide Fuel Cell：以下「ＳＯＦＣ」とも言う）は、電解質として酸化物イオン導電性固体電解質を用い、その両側に電極を取り付け、一方の側に燃料ガスを供給し、他方の側に酸化剤ガス（空気、酸素等）を供給して、比較的高温で動作する燃料電池である。
【０００３】
このような燃料電池の一例が特許文献１に記載されている。この特許文献１に記載の燃料電池は、ハウジング内に複数の円筒型セルが配置され、これらの複数の円筒型セルの下部及び上部がそれぞれ下部抑え板及び上部抑え板により支持されている。各円筒型セルの下端部には、燃料供給室から燃料ガスが供給され、燃料ガスは円筒型セルの内部を通過して燃料排出室へ送られ、一方、各円筒型セルの外部には空気が供給され、燃料ガスと空気が反応して発電するようになっている。未反応の燃料ガス（オフガス）は燃料排出室に送られ、さらに、燃料排出室の横方向上端部から燃焼室内に排出され、この燃焼室内で空気と混合して燃焼して排気されるようになっている。
【０００４】
この燃料電池においては、円筒型セルにおいて未反応の燃料ガスを燃料排出室に集め、この集められた未反応の燃料を燃焼室で燃焼するようにしているので、円筒型セルの上部の集電部材が空気に晒されることがないので、集電部材の酸化が抑制され、また、未反応の燃料の燃焼効率が向上する等の種々の利点がある。
【先行技術文献】
【特許文献】
【０００５】
【特許文献１】特開平３−３４２５８号公報
【発明の概要】
【発明が解決しようとする課題】
【０００６】
燃料電池において、未反応の燃料を集める燃料排出室を設けることにより、上述した種々の利点があるが、本発明者らは、鋭意研究することにより、燃料排出室を設けた場合に問題が発生することを見出した。即ち、燃料ガスの燃焼性を向上するため、燃料排出室の上部材にほぼ等間隔で複数の噴出口を形成して燃料ガスを燃焼させることを試みたが、この場合、燃料排出室内の未反応の燃料ガスの量が少ないので、燃料ガスの分散性が低く、それにより、一部の噴出口でのみ燃料ガスが燃焼し、他の噴出口では燃焼しないという現象が発生することが判明した。この燃料ガスの燃焼性の向上は燃料電池装置に必須の解決課題である。
【０００７】
従って、本発明は、上述した課題を解決するためになされたものであり、未反応の燃料ガス（オフガス）を集める排気集約室を設けても、排気集約室内の燃料ガスの分散性を向上させて燃料ガスの燃焼性を向上させることができる固体酸化物型燃料電池装置を提供することを目的としている。
【課題を解決するための手段】
【０００８】
上記の目的を達成するために、本発明は、固体酸化物型燃料電池装置であって、内部に燃料ガス通路を備え且つ外表面に電極層を備えた上下方向に延びる複数の燃料電池セルと、これらの複数の燃料電池セルの各々の下端部を貫通固定すると共に複数の燃料電池セルの各々に燃料ガスを分散して供給する燃料ガス分散室と、複数の燃料電池セルの各々の上端を内包すると共に複数の燃料電池セルの各々の上端から噴出される未反応の燃料ガスを集める排気集約室と、を有し、排気集約室の天井面には、未反応の燃料ガスを燃焼室に排出して燃焼させる複数の噴出口がほぼ等間隔で形成され、複数の燃料電池セルの各々は、排気集約室内において、それらの燃料電池セルの上端の高さが不揃いとなるように配置されていることを特徴としている。
このように構成された本発明においては、複数の燃料電池セルの各々が排気集約室内において燃料電池セルの上端の高さが不揃いとなるように配置されているので、複数の燃料電池セルから排気集約室内に排出されるごく少量の未反応の燃料ガスの流れが乱されることにより分散性が高まり、それにより、燃料ガスが排気集約室の天井面にほぼ等間隔で形成された複数の噴出口において均一に燃焼し易くなり、燃焼性が向上する。
【０００９】
本発明において、好ましくは、複数の燃料電池セルの各々の長さが異なっている。
従来、燃料電池セルは焼結時に収縮するためセルの長さはセル毎にバラツキがあり、各燃料電池セルの長さを揃えるため、セルの端部を切断することが行われていた。しかしながら、本発明の発明者らは、このセル毎の収縮量の差によるバラツキを逆に利用することを見出し、それにより、燃料ガスの分散性を向上させて、燃焼性を高めることができたのである。その結果、本発明によれば、従来必要であった各燃料電池セルの長さを揃えるために端部を切断する工程が不要となり、製造コストが低減し、燃料電池セルが安価になるという相乗効果を得ることができた。
【００１０】
本発明において、好ましくは、複数の燃料電池セルの各々は、その下端部がその下端の高さを揃えて燃料ガス分散室にセラミック接着剤層により固定されている。
このように構成された本発明においては、複数の燃料電池セルのそれぞれの長さが異なっても、複数の燃料電池セルの各々の下端部の下端の高さを揃えて燃料ガス分散室に固定するようにしたので、燃料ガス分散室から各燃料電池セルに燃料ガスを均一に供給することができると共に、各燃料電池セルの上端の高さを不揃いとすることができる。さらに、本発明においては、複数の燃料電池セルの各々の下端部の下端の高さが揃えられているので、燃料電池セルの下端部を燃料ガス分散室にセラミック接着剤層により固定するための工程が簡易となる。
【００１１】
本発明において、好ましくは、複数の燃料電池セルの各々の下端部の外表面には、電極層とこの電極層を覆う電解質層が形成され、この電解質層が、セラミック接着剤層の所定の基準接着領域よりも上下方向にそれぞれより広くなる領域に設けられている。
複数の燃料電池セルの長さにバラツキがある場合にはその長さ方向の中心を揃えて配置する必要があるが、本発明においては、複数の燃料電池セルの各々の下端部の電解質層をセラミック接着剤層の所定の基準接着領域よりも上下方向にそれぞれより広くなる領域に設け、電解質層の長さを余分に長くしたので、燃料電池セルの長さのバラツキを吸収することができ、複数の燃料電池の長さ方向の中心を揃えて配置する必要がないので、製造工程を簡易にすることができる。
【発明の効果】
【００１２】
本発明の固体酸化物型燃料電池装置によれば、未反応の燃料ガス（オフガス）を集める排気集約室を設けても、排気集約室内の燃料ガスの分散性を向上させて燃料ガスの燃焼性を向上させることができる。
【図面の簡単な説明】
【００１３】
【図１】本発明の一実施形態による固体酸化物型燃料電池装置（ＳＯＦＣ）を示す全体構成図である。
【図２】本発明の一実施形態による固体酸化物型燃料電池装置に内蔵されている燃料電池セル収容容器の断面図である。
【図３】本発明の一実施形態による固体酸化物型燃料電池装置に内蔵されている燃料電池セル収容容器の主な部材を分解して示した断面図である。
【図４】本発明の一実施形態による固体酸化物型燃料電池装置に内蔵されている排気集約室の部分を拡大して示す断面図である。
【図５】図２におけるV−V断面である。
【図６】（ａ）下端がカソードにされている燃料電池セルユニットの下端部を拡大して示す断面図であり、（ｂ）下端がアノードにされている燃料電池セルユニットの下端部を拡大して示す断面図である。
【発明を実施するための形態】
【００１４】
次に、添付図面を参照して、本発明の実施形態による固体酸化物型燃料電池装置（ＳＯＦＣ）を説明する。
図１は、本発明の一実施形態による固体酸化物型燃料電池装置（ＳＯＦＣ）を示す全体構成図である。この図１に示すように、本発明の一実施形態による固体酸化物型燃料電池装置（ＳＯＦＣ）１は、燃料電池モジュール２と、補機ユニット４を備えている。
【００１５】
燃料電池モジュール２は、ハウジング６を備え、このハウジング６内部には、断熱材７を介して燃料電池セル収容容器８が配置されている。この燃料電池セル収容容器８内の内部には発電室１０が設けられ、この発電室１０の中には複数の燃料電池セル１６が同心円状に配置されており、これらの燃料電池セル１６により、燃料ガスと酸化剤ガスである空気の発電反応が行われる。
【００１６】
各燃料電池セル１６の上端部には、排気集約室１８が取り付けられている。各燃料電池セル１６において発電反応に使用されずに残った残余の未反応の燃料（オフガス）は、上端部に取り付けられた排気集約室１８に集められ、この排気集約室１８の天井面に設けられた複数の噴出口から上方にある燃焼室１７へ流出される。流出した燃料は、発電室１０内で発電に使用されずに残った空気により、燃焼室１７内で燃焼され、排気ガスが生成されるようになっている。
【００１７】
次に、補機ユニット４は、水道等の水供給源２４からの水を貯水してフィルターにより純水とする純水タンク２６と、この純水タンクから供給される水の流量を調整する水供給装置である水流量調整ユニット２８（モータで駆動される「水ポンプ」等）を備えている。また、補機ユニット４は、都市ガス等の燃料供給源３０から供給された炭化水素系の原燃料ガスの流量を調整する燃料供給装置である燃料ブロア３８（モータで駆動される「燃料ポンプ」等）を備えている。
【００１８】
なお、燃料ブロア３８を通過した原燃料ガスは、燃料電池モジュール２内に配置された脱硫器３６と、熱交換器３４、電磁弁３５を介して燃料電池セル収容容器８の内部に導入される。脱硫器３６は、燃料電池セル収容容器８の周囲に環状に配置されており、原燃料ガスから硫黄を除去するようになっている。また、熱交換器３４は、脱硫器３６において温度上昇した高温の原燃料ガスが直接電磁弁３５に流入し、電磁弁３５が劣化されるのを防止するために設けられている。電磁弁３５は、燃料電池セル収容容器８内への原燃料ガスの供給を停止するために設けられている。
【００１９】
補機ユニット４は、空気供給源４０から供給される空気の流量を調整する酸化剤ガス供給装置である空気流量調整ユニット４５（モータで駆動される「空気ブロア」等）を備えている。
【００２０】
さらに、補機ユニット４には、燃料電池モジュール２からの排気ガスの熱を回収するための温水製造装置５０が備えられている。この温水製造装置５０には、水道水が供給され、この水道水が排気ガスの熱により温水となり、図示しない外部の給湯器の貯湯タンクへ供給されるようになっている。
さらに、燃料電池モジュール２には、燃料電池モジュール２により発電された電力を外部に供給するための電力取出部（電力変換部）であるインバータ５４が接続されている。
【００２１】
次に、図２及び図３により、本発明の実施形態による固体酸化物型燃料電池装置（ＳＯＦＣ）の燃料電池モジュールに内蔵された燃料電池セル収容容器の内部構造を説明する。図２は燃料電池セル収容容器の断面図であり、図３は燃料電池セル収容容器の主な部材を分解して示した断面図である。
図２に示すように、燃料電池セル収容容器８内の空間には、複数の燃料電池セル１６が同心円状に配列され、その周囲を取り囲むように燃料流路である燃料ガス供給流路２０、排ガス排出流路２１、酸化剤ガス供給流路２２が順に同心円状に形成されている。ここで、排ガス排出流路２１及び酸化剤ガス供給流路２２は、酸化剤ガスを供給／排出する酸化剤ガス流路として機能する。
【００２２】
まず、図２に示すように、燃料電池セル収容容器８は、概ね円筒状の密閉容器であり、その側面には、発電用の空気を供給する酸化剤ガス流入口である酸化剤ガス導入パイプ５６、及び排気ガスを排出する排ガス排出パイプ５８が接続されている。さらに、燃料電池セル収容容器８の上端面からは、排気集約室１８から流出した残余燃料に点火するための点火ヒーター６２が突出している。
【００２３】
図２及び図３に示すように、燃料電池セル収容容器８の内部には、燃料電池セル１６の周囲を取り囲むように、内側から順に、発電室構成部材である内側円筒部材６４、外側円筒部材６６、内側円筒容器６８、外側円筒容器７０が配置されている。上述した燃料ガス供給流路２０、排ガス排出流路２１、及び酸化剤ガス供給流路２２は、これらの円筒部材及び円筒容器の間に夫々形成される流路であり、隣り合う流路の間で熱交換が行われる。即ち、排ガス排出流路２１は燃料ガス供給流路２０を取り囲むように配置され、酸化剤ガス供給流路２２は排ガス排出流路２１を取り囲むように配置されている。また、燃料電池セル収容容器８の下端部の開放空間は、燃料を各燃料電池セル１６に分散させる燃料ガス分散室７６の底面となる概ね円形の分散室底部材７２により塞がれている。
【００２４】
内側円筒部材６４は、概ね円筒状の中空体であり、その上端及び下端は開放されている。また、内側円筒部材６４の内壁面には、分散室形成板である円形の第１固定部材６３が気密的に溶接されている。この第１固定部材６３の下面と、内側円筒部材６４の内壁面と、分散室底部材７２の上面により、燃料ガス分散室７６が画定される。また、第１固定部材６３には、各燃料電池セル１６を挿通させる複数の挿通穴６３ａ（図３参照）が形成されており、各燃料電池セル１６は、各挿通穴６３ａに挿通された状態で、セラミック接着剤により第１固定部材６３に接着されている。このように、本実施形態の固体酸化物型燃料電池装置１においては、燃料電池モジュール２を構成する部材間相互の接合部には、セラミック接着剤が充填され、硬化されることにより、各部材が相互に気密的に接合されている。
【００２５】
外側円筒部材６６は、内側円筒部材６４の周囲に配置される円筒状の管であり、内側円筒部材６４との間に円環状の流路が形成されるように、内側円筒部材６４と概ね相似形に形成されている。さらに、内側円筒部材６４と外側円筒部材６６の間には中間円筒部材６５が配置されている。中間円筒部材６５は、内側円筒部材６４と外側円筒部材６６の間に配置された円筒状の管であり、内側円筒部材６４の外周面と中間円筒部材６５の内周面の間には改質部９４が設けられている。また、中間円筒部材６５の外周面と、外側円筒部材６６の内周面の間の円環状の空間は、燃料ガス供給流路２０として機能する。このため、改質部９４及び燃料ガス供給流路２０は、燃料電池セルユニット１６における発熱及び排気集約室１８上端における残余燃料の燃焼により熱を受ける。また、内側円筒部材６４の上端部と外側円筒部材６６の上端部は溶接により気密的に接合されており、燃料ガス供給流路２０の上端は閉鎖されている。さらに、中間円筒部材６５の下端と、内側円筒部材６４の外周面は、溶接により気密的に接合されている。
【００２６】
内側円筒容器６８は、外側円筒部材６６の周囲に配置される円形断面のカップ状の部材であり、外側円筒部材６６との間にほぼ一定幅の円環状の流路が形成されるように、側面が外側円筒部材６６と概ね相似形に形成されている。この内側円筒容器６８は、内側円筒部材６４の上端の開放部を覆うように配置される。外側円筒部材６６の外周面と、内側円筒容器６８の内周面の間の円環状の空間は、排ガス排出流路２１（図２）として機能する。この排ガス排出流路２１は、内側円筒部材６４の上端部に設けられた複数の小穴６４ａを介して内側円筒部材６４の内側の空間と連通している。また、内側円筒容器６８の下部側面には、排ガス流出口である排ガス排出パイプ５８が接続されており、排ガス排出流路２１が排ガス排出パイプ５８に連通される。
【００２７】
排ガス排出流路２１の下部には、燃焼触媒６０及びこれを加熱するためのシースヒーター６１が配置されている。
燃焼触媒６０は、排ガス排出パイプ５８よりも上方に、外側円筒部材６６の外周面と内側円筒容器６８の内周面の間の円環状の空間に充填された触媒である。排ガス排出流路２１を下降した排気ガスは、燃焼触媒６０を通過することにより一酸化炭素が除去され、排ガス排出パイプ５８から排出される。
シースヒーター６１は、燃焼触媒６０の下方の、外側円筒部材６６の外周面を取り囲むように取り付けられた電気ヒーターである。固体酸化物型燃料電池装置１の起動時において、シースヒーター６１に通電することにより、燃焼触媒６０が活性温度まで加熱される。
【００２８】
外側円筒容器７０は、内側円筒容器６８の周囲に配置される円形断面のカップ状の部材であり、内側円筒容器６８との間にほぼ一定幅の円環状の流路が形成されるように、側面が内側円筒容器６８と概ね相似形に形成されている。内側円筒容器６８の外周面と、外側円筒容器７０の内周面の間の円環状の空間は、酸化剤ガス供給流路２２として機能する。また、外側円筒容器７０の下部側面には、酸化剤ガス導入パイプ５６が接続されており、酸化剤ガス供給流路２２が酸化剤ガス導入パイプ５６に連通される。
【００２９】
分散室底部材７２は、概ね円形の皿状の部材であり、内側円筒部材６４の内壁面にセラミック接着剤により気密的に固定される。これにより、第１固定部材６３と分散室底部材７２の間に、燃料ガス分散室７６が形成される。また、分散室底部材７２の中央には、バスバー８０（図２）を挿通させるための挿通管７２ａが設けられている。各燃料電池セル１６に電気的に接続されたバスバー８０は、この挿通管７２ａを通して燃料電池セル収容容器８の外部に引き出される。また、挿通管７２ａには、セラミック接着剤が充填され、燃料ガス分散室７８の気密性が確保されている。さらに、挿通管７２ａの周囲には、断熱材７２ｂ（図２）が配置されている。
【００３０】
内側円筒容器６８の天井面から垂下するように、発電用の空気を噴射するための、円形断面の酸化剤ガス噴射用パイプ７４が取り付けられている。この酸化剤ガス噴射用パイプ７４は、内側円筒容器６８の中心軸線上を鉛直方向に延び、その周囲の同心円上に各燃料電池セル１６が配置される。酸化剤ガス噴射用パイプ７４の上端が内側円筒容器６８の天井面に取り付けられることにより、内側円筒容器６８と外側円筒容器７０の間に形成されている酸化剤ガス供給流路２２と酸化剤ガス噴射用パイプ７４が連通される。酸化剤ガス供給流路２２を介して供給された空気は、酸化剤ガス噴射用パイプ７４の先端から下方に噴射され、第１固定部材６３の上面に当たって、発電室１０内全体に広がる。
【００３１】
燃料ガス分散室７６は、第１固定部材６３と分散室底部材７２の間に形成される円筒形の気密性のあるチャンバであり、その上面に各燃料電池セル１６が林立されている。第１固定部材６３の上面に取り付けられた各燃料電池セル１６は、その内側の燃料極が、燃料ガス分散室７６の内部と連通されている。各燃料電池セル１６の下端部は、第１固定部材６３の挿通穴６３ａを貫通して燃料ガス分散室７６の内部に突出し、各燃料電池セル１６は第１固定部材６３に、接着により固定されている。
【００３２】
図２に示すように、内側円筒部材６４には、第１固定部材６３よりも下方に複数の小穴６４ｂが設けられている。内側円筒部材６４の外周と中間円筒部材６５の内周の間の空間は、複数の小穴６４ｂを介して燃料ガス分散室７６内に連通されている。供給された燃料は、外側円筒部材６６の内周と中間円筒部材６５の外周の間の空間を一旦上昇した後、内側円筒部材６４の外周と中間円筒部材６５の内周の間の空間を下降し、複数の小穴６４ｂを通って燃料ガス分散室７６内に流入する。燃料ガス分散室７６に流入した燃料は、燃料ガス分散室７６の天井面（第１固定部材６３）に取り付けられた各燃料電池セル１６の燃料極に分配される。
【００３３】
さらに、燃料ガス分散室７６内に突出している各燃料電池セル１６の下端部は、燃料ガス分散室７６内でバスバー８０に電気的に接続され、挿通管７２ａを通して電力が外部に引き出される。バスバー８０は、各燃料電池セル１６により生成された電力を、燃料電池セル収容容器８の外部へ取り出すための細長い金属プレート導体であり、碍子７８を介して分散室底部材７２の挿通管７２ａに固定されている。バスバー８０は、燃料ガス分散室７６の内部において、各燃料電池セル１６に取り付けられた集電体８２と電気的に接続されている。また、バスバー８０は、燃料電池セル収容容器８の外部において、インバータ５４（図１）に接続される。なお、集電体８２は、排気集約室１８内に突出している各燃料電池セル１６の上端部にも取り付けられている（図４）。これら上端部及び下端部の集電体８２により、複数の燃料電池セル１６が電気的に並列に接続されると共に、並列に接続された複数の燃料電池セル１６が電気的に直列に接続され、この直列接続の両端が夫々バスバー８０に接続される。
【００３４】
次に、図４及び図５を参照して、排気集約室の構造を説明する。図４は排気集約室の部分を拡大して示す断面図であり、図５は、図２におけるV−V断面である。
図４に示すように、排気集約室１８は、各燃料電池セル１６の上端部に取り付けられたドーナツ型断面のチャンバーであり、この排気集約室１８の中央には、酸化剤ガス噴射用パイプ７４が貫通して延びている。
【００３５】
図５に示すように、内側円筒部材６４の内壁面には、排気集約室１８支持用の３つのステー６４ｃが等間隔に取り付けられている。図４に示すように、各ステー６４ｃは金属製の薄板を折り曲げた小片であり、排気集約室１８を各ステー６４ｃの上に載置することにより、排気集約室１８は内側円筒部材６４と同心円上に位置決めされる。これにより、排気集約室１８の外周面と内側円筒部材６４の内周面の間の隙間、及び排気集約室１８の内周面と酸化剤ガス噴射用パイプ７４の外周面との間の隙間は、全周で均一になる（図５）。
【００３６】
排気集約室１８は、それぞれが金属性部材である集約室上部材１８ａ及び集約室下部材１８ｂが気密的に接合されることにより形成されている。
集約室下部材１８ｂは、上方が開放された円形皿状の部材であり、その中央には、酸化剤ガス噴射用パイプ７４を貫通させるための円筒部１８ｆが設けられている。
集約室上部材１８ａは、下方が開放された円形皿状の部材であり、その中央には、酸化剤ガス噴射用パイプ７４を貫通させるための開口部が設けられている。集約室上部材１８ａは、集約室下部材１８ｂの上方に開口したドーナツ型断面の領域に嵌め込まれる形状に形成されている。
【００３７】
集約室下部材１８ｂの周囲の壁の内周面１８ｇと集約室上部材１８ａの外周面１８ｈの間の隙間にはセラミック接着剤が充填されセラミック接着剤層１２０ａが形成され、硬化させて、この接合部の気密性が確保されている。ここで、セラミック接着剤層１２０ａを形成するセラミック接着剤の熱伝導率は、排気集約室１８を形成する金属性部材である集約室上部材１８ａ及び集約室下部材１８ｂのそれぞれの熱伝導率よりも小さい。
また、このセラミック接着剤層１２０ａの上には、大径シールリング１９ａが配置され、セラミック接着剤層１２０ａを覆っている。大径シールリング１９ａは円環状の薄板であり、セラミック接着剤の充填後、充填されたセラミック接着剤を覆うように配置され、接着剤の硬化により排気集約室１８に固定される。
【００３８】
一方、集約室下部材１８ｂ中央の円筒部１８ｆの外周面と、集約室上部材１８ａ中央の開口部の縁の間にもセラミック接着剤が充填されセラミック接着剤層１２０ｂが形成され、硬化させて、この接合部の気密性が確保されている。ここで、集約室下部材１８ｂの内周端面１８ｉと円筒部１８ｆの外周面とは非接触となっておりその隙間にもセラミック接着剤層１２０ｂが形成されている。
また、このセラミック接着剤層１２０ｂの上には、小径シールリング１９ｂが配置され、セラミック接着剤層１２０ｂを覆っている。小径シールリング１９ｂは円環状の薄板であり、セラミック接着剤の充填後、充填されたセラミック接着剤を覆うように配置され、接着剤の硬化により排気集約室１８に固定される。
【００３９】
集約室下部材１８ｂの底面には複数の円形の挿通穴１８ｃが設けられている。各挿通穴１８ｃには燃料電池セル１６の上端部が夫々挿通され、各燃料電池セル１６は各挿通穴１８ｃを貫通して延びている。このため、各燃料電池セル１６と各挿通穴１８ｃとは非接触となっている。各燃料電池セル１６が貫通している集約室下部材１８ｂの底面上には接着剤充填枠１８ｅが設けられ、この接着剤充填枠１８ｅ内にセラミック接着剤が流し込まれセラミック接着剤層１１８が形成され、これが硬化されることにより、各燃料電池セル１６の外周と各挿通穴１８ｃの間の隙間が気密的に充填されると共に、各燃料電池セル１６が集約室下部材１８ｂに固定されている。
【００４０】
さらに、集約室下部材１８ｂの底面上のセラミック接着剤層１１８の上には、円形薄板状のカバー部材１９ｃが配置され、セラミック接着剤層１１８により集約室下部材１８ｂに固定されている。カバー部材１９ｃには、集約室下部材１８ｂの各挿通穴１８ｃと同様の位置に複数の挿通穴が設けられており、各燃料電池セル１６の上端部はセラミック接着剤層１１８及びカバー部材１９ｃを貫通して延びている。
【００４１】
図４に示すように、複数の燃料電池セル１６は、燃料電池セル１６の各々の排気集約室１８内の上端の高さＨが不揃いとなるように配置されている。
ここで、燃料電池セルは焼結時に収縮し、その収縮量の違いにより、燃料電池セルの各々の長さは異なるのが普通である。収縮量のバラツキは燃料電池セルの全長に対して最大±２％程度であり、本実施形態においては、このバラツキの範囲で長さが異なる複数の燃料電池１６を、長さを揃えるために切断することなく、使用するようにしている。
また、図２に示すように、長さが異なる複数の燃料電池セル１６の下端部の高さを揃えて燃料ガス分散室７６に後述するセラミック接着剤層により固定されている。
このようにして、本実施形態においては、長さの異なる複数の燃料電池１６を使用しても、それらの下端部の高さが揃えられているので、排気集約室１８内の複数の燃料電池セル１６の上端の高さを容易に不揃いとすることができる。
【００４２】
一方、排気集約室１８の天井面には、集約された燃料ガスを噴出させるための複数の噴出口１８ｄが設けられている（図５）。各噴出口１８ｄは、集約室上部材１８ａに、ほぼ等間隔に円周状に配置されている。発電に使用されずに残った未反応の燃料ガスは、各燃料電池セル１６の上端から排気集約室１８内に流出し、排気集約室１８内で集約された燃料は各噴出口１８ｄから上方にある燃焼室１７に流出し、図４に示すように、燃焼室１７内で燃焼される。
【００４３】
次に、図２を参照して、燃料供給源３０から供給される原燃料ガスを改質するための構成について説明する。
まず、内側円筒部材６４と外側円筒部材６６の間の空間により形成されている燃料ガス供給流路２０の下部には、水蒸気改質用の水を蒸発させるための蒸発部８６が設けられている。蒸発部８６は、外側円筒部材６６の下部内周に取り付けられたリング状の傾斜板８６ａ及び水供給パイプ８８から形成されている。また、蒸発部８６は、発電用の空気を導入するための酸化剤ガス導入パイプ５６よりも下方で、排気ガスを排出する排ガス排出パイプ５８よりも上方に配置されている。傾斜板８６ａは、リング状に形成された金属の薄板であり、その外周縁が外側円筒部材６６の内壁面に取り付けられる。一方、傾斜板８６ａの内周縁は外周縁よりも上方に位置し、傾斜板８６ａの内周縁と、内側円筒部材６４の外壁面との間には隙間が設けられている。
【００４４】
水供給パイプ８８は内側円筒部材６４の下端から燃料ガス供給流路２０内に鉛直方向に延びるパイプであり、水流量調整ユニット２８から供給された水蒸気改質用の水が、水供給パイプ８８を介して蒸発部８６に供給される。水供給パイプ８８の上端は、傾斜板８６ａを貫通して傾斜板８６ａの上面側まで延び、傾斜板８６ａの上面側に供給された水は、傾斜板８６ａの上面と外側円筒部材６６の内壁面の間に留まる。傾斜板８６ａの上面側に供給された水は、そこで蒸発され水蒸気が生成される。
【００４５】
また、蒸発部８６の下方には、原燃料ガスを燃料ガス供給流路２０内に導入するための燃料ガス導入部が設けられている。燃料ブロア３８から送られた原燃料ガスは、燃料ガス供給パイプ９０を介して燃料ガス供給流路２０に導入される。燃料ガス供給パイプ９０は内側円筒部材６４の下端から燃料ガス供給流路２０内に鉛直方向に延びるパイプである。また、燃料ガス供給パイプ９０の上端は、傾斜板８６ａよりも下方に位置している。燃料ブロア３８から送られた原燃料ガスは、傾斜板８６ａの下側に導入され、傾斜板８６ａの傾斜により流路を絞られながら傾斜板８６ａの上側へ上昇する。傾斜板８６ａの上側へ上昇した原燃料ガスは、蒸発部８６で生成された水蒸気と共に上昇する。
【００４６】
燃料ガス供給流路２０内の蒸発部８６上方には、燃料ガス供給流路隔壁９２が設けられている。燃料ガス供給流路隔壁９２は、外側円筒部材６６の内周と中間円筒部材６５の外周の間の円環状の空間を上下に隔てるように設けられた円環状の金属板である。この燃料ガス供給流路隔壁９２の円周上には等間隔に複数の噴射口９２ａが設けられており、これらの噴射口９２ａにより燃料ガス供給流路隔壁９２の上側の空間と下側の空間が連通されている。燃料ガス供給パイプ９０から導入された原燃料ガス及び蒸発部８６で生成された水蒸気は、一旦、燃料ガス供給流路隔壁９２の下側の空間に滞留した後、各噴射口９２ａを通って燃料ガス供給流路隔壁９２の上側の空間に噴射される。各噴射口９２ａから燃料ガス供給流路隔壁９２の上側の広い空間に噴射されると、原燃料ガス及び水蒸気は急激に減速され、ここで十分に混合される。
【００４７】
さらに、中間円筒部材６５の内周と内側円筒部材６４の外周の間の、円環状の空間の上部には、改質部９４が設けられている。改質部９４は、各燃料電池セル１６の上部と、その上方の排気集約室１８の周囲を取り囲むように配置されている。改質部９４は、内側円筒部材６４の外壁面に取り付けられた触媒保持板（図示せず）と、これにより保持された改質触媒９６によって構成されている。
【００４８】
このように、改質部９４内に充填された改質触媒９６に、燃料ガス供給流路隔壁９２の上側の空間で混合された原燃料ガス及び水蒸気が接触すると、改質部９４内においては、式（１）に示す水蒸気改質反応ＳＲが進行する。
ＣmＨn＋ｘＨ2Ｏ  →  aＣＯ2＋ｂＣＯ＋ｃＨ2              （１）
【００４９】
改質部９４において改質された燃料ガスは、中間円筒部材６５の内周と内側円筒部材６４の外周の間の空間を下方に流れ、燃料ガス分散室７６に流入して、各燃料電池セル１６に供給される。水蒸気改質反応ＳＲは吸熱反応であるが、反応に要する熱は、排気集約室１８から流出する未反応の燃料ガス（オフガス）の燃焼熱、及び各燃料電池セル１６において発生する発熱により供給される。
【００５０】
次に、図６を参照して、燃料電池セル１６について説明する。
本発明の実施形態による固体酸化物型燃料電池装置１においては、燃料電池セル１６は、固体酸化物を用いたセルであり、さらに、複数の電極が上下方向に沿って配置された円筒横縞型セルである。各燃料電池セル１６上には、複数の単セル１６ａが横縞状に形成されており、これらが電気的に直列に接続されることにより１本の燃料電池セル１６となる。ここで、上述したように、複数の燃料電池セル１６の各々は、各セルにおいて焼結時の収縮量が異なるため、その長さが異なっている。
【００５１】
各燃料電池セル１６は、その一端がアノード（陽極）、他端がカソード（陰極）となるように構成され、複数の燃料電池セル１６のうちの半数は上端がアノード、下端がカソードとなるように配置され、残りの半数は上端がカソード、下端がアノードとなるように配置されている。
【００５２】
図６（ａ）は、下端がカソードにされている燃料電池セル１６の下端部を拡大して示す断面図であり、図６（ｂ）は、下端がアノードにされている燃料電池セル１６の下端部を拡大して示す断面図である。
【００５３】
図６に示すように、燃料電池セル１６は、細長い円筒状の多孔質支持体９７と、この多孔質支持体９７の外側に横縞状に形成された複数の層から形成されている。この多孔質支持体９７には、その下端から上端まで燃料ガス通路９７ａが形成されている。多孔質支持体９７の周囲には、内側から順に、多孔質の燃料極層９８、多孔質の反応抑制層９９、緻密な固体電解質層１００、多孔質の空気極層１０１が夫々横縞状に形成されている。このため、燃料ガス分散室７６を介して供給された燃料ガスは、各燃料電池セル１６の多孔質支持体９７の内部を流れ、酸化剤ガス噴射用パイプ７４から噴射された空気は、空気極層１０１の外側を流れる。燃料電池セル１６上に形成された各単セル１６ａは、一組の燃料極層９８、反応抑制層９９、固体電解質層１００、及び空気極層１０１から構成されている。１つの単セル１６ａの燃料極層９８は、インターコネクタ層１０２を介して、隣接する単セル１６ａの空気極層１０１に電気的に接続されている。これにより、１本の燃料電池セル１６上に形成された複数の単セル１６ａが、電気的に直列に接続される。
【００５４】
図６（ａ）に示すように、燃料電池セル１６のカソード側端部には、多孔質支持体９７の外周に多孔質の電極層（リード膜層）１０３ａが形成され、この電極層１０３ａの外側に緻密なリード膜保護層１０４ａが形成されている。カソード側端部においては、端部に位置する単セル１６ａの空気極層１０１と電極層１０３ａが、インターコネクタ層１０２により電気的に接続されている。これらの電極層１０３ａ及びリード膜保護層１０４ａは、燃料電池セル１６端部において第１固定部材６３を貫通し、第１固定部材６３よりも下方に突出するように形成されている。電極層１０３ａは、リード膜保護層１０４ａよりも下方まで形成されており、外部に露出された電極層１０３ａに緻密な集電体８２が電気的に接続されている。これにより、端部に位置する単セル１６ａの空気極層１０１がインターコネクタ層１０２、電極層１０３ａを介して集電体８２に接続され、図中の矢印のように電流が流れる。また、第１固定部材６３の挿通穴６３の縁とリード膜保護層１０４ａの間の隙間には、セラミック接着剤が充填されてセラミック接着剤層１２２となり、このセラミック接着剤が硬化されることにより、燃料電池セル１６は、リード膜保護層１０４ａの外周で第１固定部材６３に固定される。
【００５５】
ここで、緻密な電解質層であるリード膜保護層１０４ａは、セラミック接着剤層１２２の所定の基準接着領域よりも上下方向にそれぞれより広くなる領域に設けられ、このリード膜保護層１０４ａにより電極層１０３ａ及び支持体９７の端部が覆われている。
【００５６】
図６（ｂ）に示すように、燃料電池セル１６のアノード側端部においては、端部に位置する単セル１６ａの燃料極層９８が延長されており、燃料極層９８の延長部が電極層１０３ｂとして機能する。電極層１０３ｂの外側にはリード膜保護層１０４ｂが形成されている。これらの電極層１０３ｂ及びリード膜保護層１０４ｂは、燃料電池セル１６端部において第１固定部材６３を貫通し、第１固定部材６３よりも下方に突出するように形成されている。電極層１０３ｂは、リード膜保護層１０４ｂよりも下方まで形成されており、外部に露出された電極層１０３ｂに集電体８２が電気的に接続されている。これにより、端部に位置する単セル１６ａの燃料極層９８が、一体的に形成された電極層１０３ｂを介して集電体８２に接続され、図中の矢印のように電流が流れる。また、第１固定部材６３の挿通穴６３の縁とリード膜保護層１０４ｂの間の隙間には、セラミック接着剤が充填されてセラミック接着剤層１２２となり、このセラミック接着剤が硬化されることにより、燃料電池セル１６は、リード膜保護層１０４ｂの外周で第１固定部材６３に固定される。
【００５７】
同様に、緻密な電解質層であるリード膜保護層１０４ｂは、セラミック接着剤層１２２の所定の基準接着領域よりも上下方向にそれぞれより広くなる領域に設けられ、このリード膜保護層１０４ｂにより電極層１０３ｂ及び支持体９７の端部が覆われている。
【００５８】
図６（ａ）（ｂ）においては、各燃料電池セル１６の下端部の構成を説明したが、各燃料電池セル１６の上端部における構成も同様である。なお、上端部においては、各燃料電池セル１６は、排気集約室１８の集約室下部材１８ｂに固定されているが、固定部分の構成は下端部における第１固定部材６３に対する固定と同様である。
【００５９】
次に、多孔質支持体９７及び各層の構成を説明する。
多孔質支持体９７は、本実施形態においては、フォルステライト粉末、及びバインダーの混合物を押し出し成形し、焼結することにより形成されている。
燃料極層９８は、本実施形態においては、ＮｉＯ粉末及び１０ＹＳＺ（１０ｍｏｌ％Ｙ2Ｏ3−９０ｍｏｌ％ＺｒＯ2）粉末の混合物により構成された導電性の薄膜である。
【００６０】
反応抑制層９９は、本実施形態においては、セリウム系複合酸化物（ＬＤＣ４０。すなわち、４０ｍｏｌ％のＬａ2Ｏ3−６０ｍｏｌ％のＣｅＯ2）等により構成された薄膜であり、これにより、燃料極層９８と固体電解質層１００の間の化学反応を抑制している。
固体電解質層１００は、本実施形態においては、Ｌａ0.9Ｓｒ0.1Ｇａ0.8Ｍｇ0.2Ｏ3の組成のＬＳＧＭ粉末により構成された薄膜である。この固体電解質層１００を介して酸化物イオンと水素又は一酸化炭素が反応することにより電気エネルギーが生成される。
【００６１】
空気極層１０１は、本実施形態においては、Ｌａ0.6Ｓｒ0.4Ｃｏ0.8Ｆｅ0.2Ｏ3の組成の粉末により構成された導電性の薄膜である。
インターコネクタ層１０２は、本実施形態においては、ＳＬＴ（ランタンドープストロンチウムチタネート）から作られた導電性の薄膜である。燃料電池セル１６上の隣接する単セル１６ａはインターコネクタ層１０２を介して接続される。
電極層１０３ａ、１０３ｂは、本実施形態においては、燃料極層９８と同一の材料で形成されている。
リード膜保護層１０４ａ、１０４ｂは、本実施形態においては、固体電解質層１００と同一の材料で形成されている。
【００６２】
次に、図１及び図２を参照して、本発明の実施形態による固体酸化物型燃料電池装置１の作用を説明する。
まず、固体酸化物型燃料電池装置１の起動工程において、燃料ブロア３８が起動され、燃料の供給が開始されると共に、シースヒーター６１への通電が開始される。シースヒーター６１への通電が開始されることにより、その上方に配置された燃焼触媒６０が加熱されると共に、内側に配置された蒸発部８６も加熱される。燃料ブロア３８により供給された燃料は、脱硫器３６、熱交換器３４、電磁弁３５を介して、燃料ガス供給パイプ９０から燃料電池セル収容容器８の内部に流入する。流入した燃料は、燃料ガス供給流路２０内を上端まで上昇した後、改質部９４内を下降し、内側円筒部材６４の下部に設けられた小穴６４ｂを通って燃料ガス分散室７６に流入する。なお、固体酸化物型燃料電池装置１の起動直後においては、改質部９４内の改質触媒９６の温度が十分に上昇していないため、燃料の改質は行われない。
【００６３】
燃料ガス分散室７６に流入した燃料ガスは、燃料ガス分散室７６の第１固定部材６３に取り付けられた各燃料電池セル１６の内側（燃料極側）を通って排気集約室１８に流入する。なお、固体酸化物型燃料電池装置１の起動直後においては、各燃料電池セル１６の温度が十分に上昇しておらず、また、インバータ５４への電力の取り出しも行われていないため、発電反応は発生しない。
【００６４】
排気集約室１８に流入した燃料は、排気集約室１８の噴出口１８ｄから噴出される。噴出口１８ｄから噴出された燃料は、点火ヒーター６２により点火され、そこで燃焼される。この燃焼により、排気集約室１８の周囲に配置された改質部９４が加熱される。また、燃焼により生成された排気ガスは、内側円筒部材６４の上部に設けられた小穴６４ａを通って排ガス排出流路２１に流入する。高温の排気ガスは、排ガス排出流路２１内を下降し、その内側に設けられた燃料ガス供給流路２０を流れる燃料、外側に設けられた酸化剤ガス供給流路２２内を流れる発電用の空気を加熱する。さらに、排気ガスは、排ガス排出流路２１内に配置された燃焼触媒６０を通ることにより一酸化炭素が除去され、排ガス排出パイプ５８を通って燃料電池セル収容容器８から排出される。
【００６５】
排気ガス及びシースヒーター６１により蒸発部８６が加熱されると、蒸発部８６に供給された水蒸気改質用の水が蒸発され、水蒸気が生成される。水蒸気改質用の水は、水流量調整ユニット２８により、水供給パイプ８８を介して燃料電池セル収容容器８内の蒸発部８６に供給される。蒸発部８６で生成された水蒸気と、燃料ガス供給パイプ９０を介して供給された燃料は、一旦、燃料ガス供給流路２０内の燃料ガス供給流路隔壁９２の下側の空間に滞留し、燃料ガス供給流路隔壁９２に設けられた複数の噴射口９２ａから噴射される。噴射口９２ａから勢いよく噴射された燃料及び水蒸気は、燃料ガス供給流路隔壁９２の上側の空間内で減速されることにより、十分に混合される。
【００６６】
混合された燃料及び水蒸気は、燃料ガス供給流路２０内を上昇し、改質部９４に流入する。改質部９４の改質触媒９６が改質可能な温度まで上昇している状態においては、燃料及び水蒸気の混合気が改質部９４を通過する際、水蒸気改質反応が発生し、混合気が水素を多く含む燃料に改質される。改質された燃料は、小穴６４ｂを通って燃料ガス分散室７６に流入する。小穴６４ｂは燃料ガス分散室７６の周囲に多数設けられ、燃料ガス分散室７６として十分な容積が確保されているため、改質された燃料は、燃料ガス分散室７６内に突出している各燃料電池セル１６に均等に流入する。
【００６７】
一方、空気流量調整ユニット４５により供給された酸化剤ガスである空気は、酸化剤ガス導入パイプ５６を介して酸化剤ガス供給流路２２に流入する。酸化剤ガス供給流路２２に流入した空気は、内側を流れる排気ガスにより加熱されながら酸化剤ガス供給流路２２内を上昇する。酸化剤ガス供給流路２２内を上昇した空気は、燃料電池セル収容容器８内の上端部で中央に集められ、酸化剤ガス供給流路２２に連通された酸化剤ガス噴射用パイプ７４に流入する。酸化剤ガス噴射用パイプ７４に流入した空気は下端から発電室１０内に噴射され、噴射された空気は第１固定部材６３の上面に当たって発電室１０内全体に広がる。発電室１０内に流入した空気は、排気集約室１８の外周壁と内側円筒部材６４の内周壁の間の隙間、及び排気集約室１８の内周壁と酸化剤ガス噴射用パイプ７４の外周面の間の隙間を通って上昇する。
【００６８】
この際、各燃料電池セル１６の外側（空気極側）を通って流れる空気の一部は発電反応に利用される。また、排気集約室１８の上方に上昇した空気の一部は、排気集約室１８の噴出口１８ｄから噴出する燃料の燃焼に利用される。燃焼により生成された排気ガス、及び発電、燃焼に利用されずに残った空気は、小穴６４ａを通って排ガス排出流路２１に流入する。排ガス排出流路２１に流入した排気ガス及び空気は、燃焼触媒６０により一酸化炭素が除去された後、排出される。
【００６９】
このように、各燃料電池セル１６が発電可能な温度である６５０℃程度まで上昇し、各燃料電池セル１６の内側（燃料極側）に改質された燃料が流れ、外側（空気極側）に空気が流れると、化学反応により起電力が発生する。この状態において、燃料電池セル収容容器８から引き出されているバスバー８０にインバータ５４が接続されると、各燃料電池セル１６から電力が取り出され、発電が行われる。
【００７０】
また、本実施形態の固体酸化物型燃料電池装置１においては、発電用の空気は、発電室１０の中央に配置された酸化剤ガス噴射用パイプ７４から噴射され、発電室１０内を排気集約室１８と内側円筒部材６４の間の均等な隙間及び排気集約室１８と酸化剤ガス噴射用パイプ７４の間の均等な隙間を通って上昇する。このため、発電室１０内の空気の流れは、ほぼ完全に軸対称の流れとなり、各燃料電池セル１６の周囲には、ムラなく空気が流れる。これにより、各燃料電池セル１６間の温度差が抑制され、各燃料電池セル１６で均等な起電力を発生することができる。
【００７１】
次に、本発明の実施形態による固体酸化物型燃料電池装置１の排気集約室１８における作用を説明する。
本実施形態においては、複数の燃料電池セル１６の各々の上端を内包すると共に複数の燃料電池セル１６の各々の上端から噴出される未反応の燃料ガスを集める排気集約室１８が設けられ、この排気集約室１６の天井面には、未反応の燃料ガスを燃焼室に排出して燃焼させる複数の噴出口１７ｄがほぼ等間隔に円周状に配置されている。さらに、複数の燃料電池セル１６の各々は、排気集約室１８内において、それらの燃料電池セル１６の上端の高さＨが不揃いとなるように配置されている。
このように構成された本実施形態の固体酸化型燃料電池装置１においては、複数の燃料電池セル１６の各々が排気集約室１８内において燃料電池セル１６の上端の高さが不揃いとなるように配置されているので、複数の燃料電池セル１６から排気集約室１８内に排出されるごく少量の未反応の燃料ガスの流れが乱されることにより分散性が高まり、それにより、燃料ガスが排気集約室１８の天井面にほぼ等間隔で形成された複数の噴出口１８ｄにおいて均一に燃焼し易くなり、燃焼性が向上する。
【００７２】
また、燃料電池セル１６は、焼結時に収縮するためセルの長さはセル毎にバラツキがあるが、本実施形態によれば、従来必要であった各燃料電池セルの長さを揃えるために端部を切断する工程が不要となり、長さが異なる複数の燃料電池セル１６をそのまま使用することができるので、製造コストが低減し、燃料電池セルが安価になるという相乗効果を得ることができる。
【００７３】
また、本実施形態による固体酸化型燃料電池装置１においては、複数の燃料電池セル１６のそれぞれの長さが異なっても、複数の燃料電池セル１６の各々の下端部の下端の高さを揃えて燃料ガス分散室７６に固定するようにしたので、燃料ガス分散室７６から各燃料電池セル１６に燃料ガスを均一に供給することができると共に、各燃料電池セル１６の上端の高さを不揃いとすることができる。さらに、本実施形態においては、複数の燃料電池セル１６の各々の下端部の下端の高さが揃えられているので、燃料電池セル１６の下端部を燃料ガス分散室７６にセラミック接着剤層１２２により固定するための工程が簡易となる。
【００７４】
さらに、複数の燃料電池セル１６の長さにバラツキがある場合にはその長さ方向の中心を揃えて配置する必要があるが、本実施形態においては、複数の燃料電池セル１６の各々の下端部の電解質層１０４ａをセラミック接着剤層１２２の所定の基準接着領域よりも上下方向にそれぞれより広くなる領域に設け、電解質層１０４ａの長さを余分に長くしたので、燃料電池セル１６の長さのばらつきを吸収することができ、複数の燃料電池セル１６の長さ方向の中心を揃えて配置する必要がないので、製造工程を簡易にすることができる。
【符号の説明】
【００７５】
１  固体酸化物型燃料電池装置
２  燃料電池モジュール
８  燃料電池セル収容容器
１０  発電室
１６  燃料電池セル
１６ａ  単セル
１７  燃焼室
１８  排気集約室
１８ａ  集約室上部材
１８ｂ  集約室下部材
１８ｄ  噴出口
６２  点火ヒーター
６３  第１固定部材
６４  内側円筒部材
７２  分散室底部材
７６  燃料ガス分散室
９７  多孔質支持体
９７ａ  燃料ガス通路
９８  燃料極層
１００  固体電解質層
１０１  空気極層
１０３ａ  電極層（リード膜層）
１０４ａ  リード膜保護層
１２２  セラミック接着剤層
【図１】
2015018752.tif 000003
【図２】
2015018752.tif 000004
【図３】
2015018752.tif 000005
【図４】
2015018752.tif 000006
【図５】
2015018752.tif 000007
【図６】
2015018752.tif 000008